(57)【要約】      （修正有）【課題】躯体壁の材質に関わらず、木造、鉄筋コンクリート造、鉄骨造など、幅広い躯体の建物に適用可能な冷暖房システムを提供する。【解決手段】床下又は天井裏に配置された暖房装置１０ａ、１０ｂ、１０ｃ、１０ｄと、下階の床下の空気を下階の天井４と上階の床５の間の空間に送る第１の循環手段（１１、１２）と、下階の天井４と上階の床５の間の空気を下階の床下に送る第２の循環手段（１３、１４）と、上階の居室内の空気を取り込んで温度を低下させる冷房装置２１と、居室内の空気を建物外に排出し、外気を取り込むとともに、排出される居室内の空気と取り込まれる外気との間で熱交換を行う熱交換型換気装置１５とを有するものとする。【選択図】図１
2020060363.tif 000002
【特許請求の範囲】
【請求項１】
床下又は天井裏に配置された暖房装置と、
下階の床下の空気を前記下階の天井と上階の床の間の空間に送る第１の循環手段と、
前記下階の天井と前記上階の床の間の空気を前記下階の床下に送る第２の循環手段と、
前記上階の居室内の空気を取り込んで温度を低下させる冷房装置と、
居室内の空気を建物外に排出し、外気を取り込むとともに、排出される前記居室内の空気と取り込まれる前記外気との間で熱交換を行う熱交換型換気装置とを有する冷暖房システム。
【請求項２】
前記熱交換型換気装置は、前記外気を床下又は天井裏の空間に取り込む請求項１に記載の冷暖房システム。
【請求項３】
さらに、前記上階の天井裏の空気と、前記下階の天井と前記上階の床の間の空気を循環させる第３の循環手段を有し、
前記冷房装置は、気温を低下させた空気を前記上階の天井裏及び前記下階の天井と前記上階の床の間の空間に送る請求項１又は２に記載の冷暖房システム。
【請求項４】
さらに、天井裏の空気を前記居室内に送る送風機を有する請求項１から３のいずれか一項に記載の冷暖房システム。
【発明の詳細な説明】
【技術分野】
【０００１】
本発明は、戸建住宅、集合住宅、オフィスビルなどの建築物に適用可能な冷暖房システムに関するものである。
【背景技術】
【０００２】
従来、住宅空間を画成する躯体壁全体を蓄熱体に構成するとともにこの躯体壁と冷暖房及び換気設備とを一体に融合させた冷暖房システムが提案されている（下記特許文献参照）。
【先行技術文献】
【特許文献】
【０００３】
【特許文献１】特開平６−５８５７２号公報
【発明の概要】
【発明が解決しようとする課題】
【０００４】
上記特許文献に記載の冷暖房システムにおいては、躯体壁が熱容量の高い材料で構成される必要があり、適用可能な建物の条件が厳しいという問題がある。
【０００５】
そこで、本願は、躯体壁の材質に関わらず、木造、鉄筋コンクリート造、鉄骨造など、幅広い種類の建物に適用可能な冷暖房システムを提供することを目的とする。
【課題を解決するための手段】
【０００６】
冷暖房システムにおいて、
床下又は天井裏に配置された暖房装置と、
下階の床下の空気を前記下階の天井と上階の床の間の空間に送る第１の循環手段と、
前記下階の天井と前記上階の床の間の空気を前記下階の床下に送る第２の循環手段と、
前記上階の居室内の空気を取り込んで温度を低下させる冷房装置と、
居室内の空気を建物外に排出し、外気を取り込むとともに、排出される前記居室内の空気と取り込まれる前記外気との間で熱交換を行う熱交換型換気装置とを有するものとする。
【発明の効果】
【０００７】
本発明によれば、躯体壁の材質に関わらず、木造、鉄筋コンクリート造、鉄骨造など、幅広い種類の建物に適用可能な冷暖房システムを提供することができる。
【図面の簡単な説明】
【０００８】
【図１】図１は本願の第１実施形態に係る冷暖房システムを設置した建物の縦断面図である。
【図２】図２は本願の第２実施形態に係る冷暖房システムを設置した建物の縦断面図である。
【図３】図３は本願の第３実施形態に係る冷暖房システムを設置した建物の縦断面図である。
【図４】図４は本願の第４実施形態に係る冷暖房システムを設置した建物の縦断面図である。
【図５】図５は本願の第５実施形態に係る冷暖房システムを設置した建物の縦断面図である。
【発明を実施するための形態】
【０００９】
（第１実施形態）
以下、図１を参照しながら本願の第１実施形態に係る冷暖房システム１００について説明する。
【００１０】
図１に示す冷暖房システム１００が設置された建物は、べた基礎２と、べた基礎２の上に配置された下階床３と、下階の居住空間の上に配置された下階天井４と、更にその上に空間を空けて配置された上階床５と、上階の居住空間の上に配置された上階天井６と、更にその上に屋根裏の空間を空けて配置された屋根７と、これらと一体的に構成された躯体壁８とを有する。
【００１１】
冷暖房システム１００は、暖房装置として、べた基礎２と下階床３との間の空間に配置されたヒーター１０ａ、１０ｂ、１０ｃ、１０ｄを有している。ヒーター１０ａから１０ｄは、冬季等で気温の低いときに、べた基礎２と下階床３の間（第１の温度調整層）の空気を暖めることができる。ヒーター１０ａから１０ｄに用いるエネルギーとしては、電気、灯油、ガス、水素、太陽光などあらゆるエネルギーを採用することができる。
【００１２】
冷暖房システム１００は、下階床３に取り付けられ、べた基礎２と下階床３との間の空気を吸い込むファン１１と、ファン１１によって吸い込まれた空気を下階天井４と上階床５の間の空間（第２の温度調整層）まで案内する垂直ダクト１２を有している。ファン１１と垂直ダクト１２は第１の循環装置（第１の循環手段）を構成する。
【００１３】
冷暖房システム１００は、下階天井４に取り付けられ、下階天井４と上階床５の間の空気を吸い込むファン１３と、ファン１３によって吸い込まれた空気をべた基礎２と下階床３の間の空間まで案内する垂直ダクト１４を有している。ファン１３と垂直ダクト１４は第２の循環装置（第２の循環手段）を構成する。
【００１４】
冷暖房システム１００は、下階天井４と上階床５との間に熱交換型換気装置１５を有している。熱交換型換気装置１５は、取込口１６から外気を取り込み、排出口１７から下階天井４と上階床５の間の空間に排出する。また、熱交換型換気装置１５は、上階の居室内の空気を上階天井６に取り付けられた換気口１８から吸入し、垂直ダクト１９を通して、排気口２０から排出する。熱交換型換気装置１５は、排出される２階（上階）の居室内の空気と取り込まれる外気との間で熱交換を行い、取り込まれる外気を２階（上階）の居室内の空気の温度に近づけた後、排出口１７から排出する。
【００１５】
冷暖房システム１００は、上階の居室内に冷気を流入させる冷房装置２１を有している。冷房装置２１としては、市販のエアーコンディショナー（エアコン）を用いることができる。
【００１６】
上記構成による冷暖房システム１００は、冬季などで気温が低いときは、ヒーター１０ａから１０ｄがべた基礎２と下階床３との間の空気を暖める。ファン１１、１３及び垂直ダクト１２、１４は、べた基礎２と下階床３の間の空気と、下階天井４と上階床５の間の空間とを循環させる。これにより、下階床３と上階床５を均一な温度に暖め、床全面からの輻射熱によって全館暖房をすることができる。
【００１７】
冷暖房システム１００は、夏季などで気温が高いときは、冷房装置２１によって上階の居室内の気温を低下させる。上階の居室内の空気は換気口１８から垂直ダクト１９を通して熱交換型換気装置１５に送られる。熱交換型換気装置１５は、熱交換を行うことによって下階天井４と上階床５の間の空気の温度を低下させる。ファン１１、１３及び垂直ダクト１２、１４は、べた基礎２と下階床３の間の空気と、下階天井４と上階床５との間の空気とを循環させる。これにより、べた基礎２と下階床３の間の気温を低下させ、下階の居室内での体感温度及び気温を低下させる。なお、春、秋など気温が適温のときは冷暖房システム１００を稼動させる必要はない。
【００１８】
以上に説明した冷暖房システム１００によれば、躯体壁８の材質に関わらず、木造、鉄筋コンクリート造、鉄骨造など、幅広い躯体の建物に適用可能な全館冷暖房システムを提供することができる。また、冷暖房システム１００は、戸建住宅、集合住宅、オフィスビルの他、あらゆる用途の建物に適用可能である。
【００１９】
また、冷暖房システム１００によれば、比較的簡素な設備によって全館の温度を一定に保つことができる。さらに、冷暖房システム１００は、建物のリフォームとして既存の建物に新たに設置して、全館冷暖房を実現することもできる。
【００２０】
加えて、冷暖房システム１００は、暖房工事は下階でのみ行い、冷房工事は上階でのみ行うことができるため、施工時の手間を省き、施工コストを下げることができる。
【００２１】
なお、冷暖房システム１００は、下階天井４に取り付けられた送風機２２ａ、２２ｂを有することが好ましい。送風機２２ａ、２２ｂは、下階天井４と上階床５の間の空気を下階の居室内に送風する。これにより、下階の居室ごとに気温を調整することができるようになる。
【００２２】
また、冷暖房システム１００は、下階天井４と上階床５の間から上階天井裏まで延びる垂直ダクト２３と、上階天井裏で空気を分配する分配器２４と、分配器２４から上階天井裏を延びる水平ダクト２５ａ、２５ｂ、２５ｃと、水平ダクト２５ａ、２５ｂ、２５ｃに接続され、上階天井６に取り付けられた送風機２６ａ、２６ｂ、２６ｃとを有することが好ましい。送風機２６ａ、２６ｂ、２６ｃは、垂直ダクト２３を通じて下階天井４と上階床５の間の空気を上階天井裏まで吸い上げた後、上階の居室内に送風する。これにより、上階の居室ごとに気温を調整することができるようになる。
【００２３】
また、冷暖房システム１００は、不図示の中央制御装置を設け、使用者の指示により、冷暖房システム１００を構成する各装置を制御することが好ましい。例えば、居室の壁面に１又は２以上の操作パネルを設け、使用者による操作パネルの操作に応じて中央制御装置が無線又は有線により各装置に信号を送り、各装置を制御するものとしても良い。なお、冷暖房システム１００は、中央制御装置を設けず、使用者が各装置を操作して使用する構成とすることもできる。
【００２４】
（第２実施形態）
次に、図２を参照しながら本願の第２実施形態に係る冷暖房システム２００について説明する。第２実施形態に係る冷暖房システム２００は、上記第１実施形態に係る冷暖房システム１００と共通する部分があるため、共通する部分には上記第１実施形態の説明において用いた符号の数字に２００を足した数字の参照符号を付し、重複する説明は省略する。例えば、第１実施形態において示した「べた基礎２」に対応する部分には「２０２」の参照符号を付する。
【００２５】
冷暖房システム２００は、べた基礎２０２と下階床２０３との間の空間に配置されたヒーター２１０ａ、２１０ｂ、２１０ｃ、２１０ｄを有している。ヒーター２１０ａから２１０ｄは、冬季等で気温が低いときに、べた基礎２０２と下階床２０３の間（第１の温度調整層）の空気を暖めることができる。
【００２６】
冷暖房システム２００は、べた基礎２０２と下階床２０３の間の空気を下階天井２０４と上階床２０５の間の空間（第２の温度調整層）まで案内する垂直ダクト２２２を有している。垂直ダクト２２２はユニットバス循環（パッシブ循環）とすることができる。垂直ダクト２２２は第１の循環手段を構成する。
【００２７】
冷暖房システム２００は、下階天井２０４と上階床２０５の間の空気を吸い込むファン２１３と、ファン２１３によって吸い込まれた空気をべた基礎２０２と下階床２０３の間の空間まで案内する垂直ダクト２１４を有している。ファン２１３と垂直ダクト２１４は第２の循環装置（第２の循環手段）を構成する。
【００２８】
冷暖房システム２００は、下階天井２０４と上階床２０５との間に熱交換型換気装置２１５を有している。熱交換型換気装置２１５は、取込口２１６から外気を取り込み、垂直ダクト２２４及び２２５により、べた基礎２０２と下階床２０３の空間と上階の天井２０６の天井裏の空間に排出する。また、熱交換型換気装置２１５は、下階の居室内の空気を下階天井２０４に取り付けられた換気口２１８から吸入し、排気口２２０から排出する。熱交換型換気装置２１５は、排出される下階の居室内の空気と取り込まれる外気との間で熱交換を行い、取り込まれる外気を下階の居室内の空気の温度に近づけた後、垂直ダクト２２４、２２５を通じて建物内に排出する。
【００２９】
上階の天井２０６の天井裏にはファン２２７が設けられ、ファン２２７から、下階の天井２０４と上階の床２０５の間まで延びる垂直ダクト２２６とを有している。ファン２２７と垂直ダクト２２６は第３の循環手段を構成する。ファン２２７と垂直ダクト２２６は水平方向で冷房装置２２９から離れた位置に配置することが好ましい。これにより、上階の天井２０６の天井裏の空気を全体的に循環させることが可能になる。
【００３０】
冷暖房システム２００は、上階の居室内の空気の温度を低下させ、上階の天井２０６の天井裏の空間に送る冷房装置２２９を有している。冷房装置２２９としてはフリービルトインエアコンを用いることが好ましい。
【００３１】
上記構成による冷暖房システム２００は、冬季などで気温が低いときは、ヒーター２１０ａから２１０ｄがべた基礎２０２と下階床２０３との間の空気を暖める。垂直ダクト２１４、２２２とファン２１３は、べた基礎２０２と下階床２０３の間の空気と、下階天井２０４と上階床２０５の間の空気とを循環させる。これにより、下階床２０３と上階床２０５を均一な温度に暖め、床全体からの輻射熱によって全館暖房をすることができる。
【００３２】
冷暖房システム２００は、夏季などで気温が高いときは、冷房装置２２９によって上階の天井２０６の天井裏の気温を低下させる。上階の天井２０６の天井裏の空気は、上階の天井２０６に設けられた給気口２２８ａ、２２８ｂから上階の居室内に流入させ、上階の居室内の気温を下げる。また、上階の天井２０６の天井裏の空気は、上階の天井２０６の天井裏に設けられたファン２２７から垂直ダクト２２６を通じて下階の天井２０４と上階の床２０５の間の空間に送られる。下階の天井２０４と上階の床２０５の間の空気は、下階の天井２０４に設けられた給気口２２３ａ、２２３ｂから下階の居室内に流入させ、下階の居室内の気温を下げる。なお、春、秋など気温が適温のときは冷暖房システム２００を稼動させる必要はない。
【００３３】
以上に説明した冷暖房システム２００によれば、躯体壁２０８の材質に関わらず、木造、鉄筋コンクリート造、鉄骨造など、幅広い種類の建物に適用可能な全館冷暖房システムを提供することができる。また、冷暖房システム２００は、戸建住宅、集合住宅、オフィスビルの他、あらゆる用途の建物に適用可能である。
【００３４】
（第３実施形態）
次に、図３を参照しながら本願の第３実施形態に係る冷暖房システム３００について説明する。第３実施形態に係る冷暖房システム３００は、上記第２実施形態に係る冷暖房システム２００と多くの点で共通するため、共通する部分には上記第２実施形態の説明において用いた符号の数字に１００を足した数字の参照符号を付し、重複する説明は省略する。例えば、第２実施形態において示した「べた基礎２０２」に対応する部分には「３０２」の参照符号を付する。
【００３５】
本第３実施形態においては、第２実施形態のファン２２７及び垂直ダクト２２６を設ける代わりに、垂直ダクト３３０を設けている。垂直ダクト３３０は第３の循環手段を構成する。垂直ダクト３３０は冷房装置３２９の近くに設けることが好ましい。垂直ダクト３３０は、上階の天井３０６の天井裏の空気と、下階の天井３０４と上階の床３０５の間の空気のパッシブ循環に用いられる。
【００３６】
冷房装置３２９は送風が可能であるため、第２実施形態において示した上階の天井裏のファン２２７を設けなくても、上階の天井３０６の天井裏の空気を循環させることができる。したがって、建物の規模や建物が設置されている場所の気候等の条件によっては、本第３実施形態においても上記第２実施形態と同様の効果を得ることができる。
【００３７】
以上に説明した冷暖房システム３００によれば、躯体壁３０８の材質に関わらず、木造、鉄筋コンクリート造、鉄骨造など、幅広い躯体の建物に適用可能な全館冷暖房システムを提供することができる。また、冷暖房システム３００は、戸建住宅、集合住宅、オフィスビルの他、あらゆる用途の建物に適用可能である。
【００３８】
（第４実施形態）
次に、図４を参照しながら本願の第４実施形態に係る冷暖房システム４００について説明する。本第４実施形態に係る冷暖房システム４００は、上記第３実施形態に係る冷暖房システム３００と多くの点で共通するため、共通する部分には上記第３実施形態の説明において用いた符号の数字に１００を足した数字の符号を付し、重複する説明は省略する。例えば、第３実施形態において示した「べた基礎３０２」に対応する部分には「４０２」の参照符号を付する。なお、図４において、実線矢印は新鮮空気、破線矢印は暖房空気、一点鎖線矢印は冷房空気、二点差線矢印は室内空気の流れを示す。
【００３９】
本第４実施形態においては、吹き抜け４４０を有する建物に冷暖房システム４００を設置した例を示しているが、吹き抜け４４０が無い建物であっても、例えば、階段スペースなど、上下階をつなぐ空間がある建物であれば、冷暖房システム４００を設置することができる。
【００４０】
本第４実施形態においては、べた基礎４０２と下階床４０３の間の空気は、ユニットバスの隙間等の空気循環スペース４２２を通って下階天井４０４と上階床４０５の間の空間に送ることができるように構成されている。空気循環スペース４２２は第１の循環手段としての役割を果たす。
【００４１】
下階床４０３と下階天井４０４の間には、ダクトスペース４３１を設け、その中に垂直ダクト４１４を配置している。垂直ダクト４１４は、下階床４０３と略同じ高さで周囲に気密部材４１４ａが配置され、下階天井４０４と略同じ高さで周囲に気密部材４１４ｂが配置されている。垂直ダクト４１４の上側の端部は、下階天井４０４と上階床４０５の間に配置され、ファン４１３が取り付けられている。ファン４１３及び垂直ダクト４１４は、下階天井４０４と上階床４０５の間の空気を、下階床４０３の床下へ送る第２の循環手段としての役割を果たす。
【００４２】
下階床４０３と下階天井４０４の間には、ダクトスペース４３２を設け、その中に垂直ダクト４２４を配置している。垂直ダクト４２４は、下階床４０３と略同じ高さで周囲に気密部材４２４ａが配置され、下階天井４０４と略同じ高さで周囲に気密部材４２４ｂが配置されている。
【００４３】
上階床４０５と上階天井４０６の間には、ダクトスペース４３０を設け、その中に垂直ダクト４２５を配置している。垂直ダクト４２５の周囲には気密部材が配置されず、上階天井４０６の天井裏の空気を、下階天井４０４と上階床４０５の間の空間に送ることができるように構成されている。ダクトスペース４３０は、第３の循環手段としての役割を果たす。
【００４４】
下階天井４０４には、換気口４１８を設けている。換気口４１８は下階の居室内の空気を吸い込む。換気口４１８から吸い込まれた空気は、熱交換型換気装置４１５を通り、排気口４２０から排出される。熱交換型換気装置４１５は、取込口４１６から取り込んだ外気を、換気口４１８から吸い込んだ室内の空気との間で熱交換し、室内の空気の温度に近づけてから、垂直ダクト４２５を通して、下階床４０３の床下の空間と、上階天井４０６の天井裏の空間に送る。
【００４５】
上記構成による冷暖房システム４００は、冬季などで気温が低いときは、ヒーター４１０ａから４１０ｄがべた基礎４０２と下階床４０３の間の空気を暖める。ファン４１３、垂直ダクト４１４及び空気循環スペース４２２は、べた基礎４０２と下階床４０３の間の空気と、下階天井４０４と上階床４０５の間の空気を循環させる。これにより、下階床４０３と上階床４０５を均一な温度に暖め、床全体からの輻射熱によって全館暖房をすることができる。
【００４６】
冷暖房システム４００は、夏季などで気温が高いときは、冷房装置４２９によって上階の居室内の空気を吸い込み、温度を低下させる。温度が低下した空気（以下「冷気」）の一部は、冷房装置４２９から上階天井４０６の天井裏に供給され、残りはダクトスペース４３０を通して下階天井４０４と上階床４０５の間に送られる。上階の天井４０６の天井裏に供給された冷気は、上階天井４０６に設けられた給気口４２８ａ、４２８ｂから上階の居室内に吹き出され、一部は吹き抜け４４０を通じて下階の居室内に流入する。下階天井４０４と上階床４０５の間の冷気は、下階天井に設けられた給気口４２３ａから下階の居室内に吹き出される。
【００４７】
以上に説明した冷暖房システム４００によれば、躯体壁４０８の材質に関わらず、木造、鉄筋コンクリート造、鉄骨造など、幅広い種類の建物に適用可能な全館冷暖房システムを提供することができる。また、冷暖房システム４００は、戸建住宅、集合住宅、オフィスビルの他、あらゆる用途の建物に適用可能である。
【００４８】
（第５実施形態）
次に、図５を参照しながら本願の第５実施形態に係る冷暖房システム５００について説明する。第５実施形態に係る冷暖房システム５００は、上記第４実施形態に係る冷暖房システム４００と多くの点で共通するため、共通する部分には上記第４実施形態の説明において用いた符号の数字に１００を足した数字の符号を付し、重複する説明は省略する。例えば、第４実施形態において示した「べた基礎４０２」に対応する部分には「５０２」の参照符号を付する。
【００４９】
本第５実施形態においては、上記第４実施形態のヒーター４１０ａから４１０ｄの代わりに、暖房装置として、放熱器５３４、５３５を設けている。放熱器５３４、５３５は、例えば、不図示の機器から温水、蒸気などの高温の熱媒体の供給を受け、ラジエータによって、熱媒体の熱を空気中に放出する。放熱器５３４は、取込口５１６から取り込み、熱交換型換気装置５１５を通した空気の温度を上げる。一方、放熱器５３５は、下階天井５０４と上階床５０５の間から垂直ダクト５１４を通じて下階床５０３の床下に送られる空気の温度を上げる。
【００５０】
本第５実施形態においては、上記第４実施形態とは異なり、ユニットバスの天井裏にナノイー発生器５３３を設けている。これにより、ユニットバスのカビ発生を抑制することができる。
【００５１】
上記構成による冷暖房システム５００は、冬季などで気温が低いときは、放熱器５３４、５３５が、べた基礎５０２と下階床５０３の間の空間と、下階天井５０４と上階床５０５の間の空間に暖かい空気を供給する。ファン５１３、垂直ダクト５１４及び空気循環スペース５２２は、べた基礎５０２と下階床５０３の間の空気と、下階天井５０４と上階床５０５の間の空気を循環させる。これにより、下階床５０３と上階床５０５を均一な温度に暖め、床全体からの輻射熱によって全館暖房をすることができる。
【００５２】
以上に説明した冷暖房システム５００によれば、躯体壁５０８の材質に関わらず、木造、鉄筋コンクリート造、鉄骨造など、幅広い躯体の建物に適用可能な全館冷暖房システムを提供することができる。また、冷暖房システム５００は、戸建住宅、集合住宅、オフィスビルの他、あらゆる用途の建物に適用可能である。
【００５３】
以上、本願の発明について具体的な実施形態を挙げて説明を行ったが、本願の発明は上記実施形態に限られるものではなく、種々の変更、改良等が可能である。
【００５４】
例えば、第１実施形態において、図１に示すように、下階天井４と上階床５の間にヒーター１０ｅを配置しても良い。これにより、暖房時に、べた基礎２と下階床３の間の気温と、下階天井４と上階床５の間の気温をより均一化することができる。
【００５５】
また、冷暖房システム１００、２００、３００、４００、５００は、図に示すように１階と２階に設置するものに限られず、例えば、同様の構成で２階と３階に設けることもできるし、３つ以上の階にわたって設置することもできる。例えば、建物の１階から３階にわたって冷暖房システム１００、２００、３００、４００、５００を設ける場合、１階床下にヒーターを設置し、１階床下の空気と１階天井と２階床下の間の空気とを循環させる循環手段を設置し、更に１階天井と２階床下の空気と２階天井と３階の床下の空気とを循環させる循環手段を設置し、３階に冷房装置を設置し、３階床下と２階天井の間に熱交換型換気装置を設置すれば良い。このように、３つ以上の階にわたって冷暖房システム１００、２００、３００、４００、５００を設置する場合は、増えた階数に応じて、中間階に温度調整層の空気を循環させる循環手段を追加すれば良い。
【００５６】
また、冷暖房システム１００、２００、３００、４００、５００は、連続する階に限られず、例えば、１階と３階のように、間の階を飛ばして設置することもできる。この場合、空気循環層の空気を循環させる垂直ダクトを、冷暖房システム１００、２００、３００、４００、５００を設置する下階の床下から冷暖房システム１００、２００、３００、４００、５００を設置する上階の床下まで連続して延ばせば良い。
【符号の説明】
【００５７】
１００、２００、３００、４００、５００  冷暖房システム
２、２０２、３０２、４０２、５０２  べた基礎
３、２０３、３０３、４０３、５０３  １階床
４、２０４、３０４、４０４、５０４  １階天井
５、２０５、３０５、４０５、５０５  ２階床
６、２０６、３０６、４０６、５０６  ２階天井
７、２０７、３０７、４０７、５０７  屋根
８、２０８、３０８、４０８、５０８  躯体壁
１０ａ、１０ｂ、１０ｃ、１０ｄ、１０ｅ、２１０ａ、２１０ｂ、２１０ｃ、２１０ｄ、３１０ａ、３１０ｂ、３１０ｃ、３１０ｄ  ヒーター
１１、１３、２１３、２２７、３１３、４１３、５１３  ファン
１２、１４、１９、２３、２１４、２２２、２２４、２２５、２２６、３１４、３２２、３２４、３２５、３３０、４１４、４２４、５１４、５２４  垂直ダクト
１５、２１５、３１５、４１５、５１５  熱交換型換気装置
１６、２１６、３１６、４１６、５１６  取込口
１７  排出口
１８、２１８、３１８、４１８、５１８  換気口
２０、２２０、３２０、４２０、５２０  排気口
２１、２２９、３２９、４２９、５２９  冷房装置
２２ａ、２２ｂ、２６ａ、２６ｂ、２６ｃ  送風機
２４  分配器
２５ａ、２５ｂ、２５ｃ  水平ダクト
２２３ａ、２２３ｂ、２２８ａ、２２８ｂ、３２３ａ、３２３ｂ、３２８ａ、３２８ｂ、４２３ａ、４２８ａ、４２８ｂ、５２３ａ、５２８ａ、５２８ｂ  給気口
４２２、５２２  空気循環スペース
４３０、４３１、４３２、５３０、５３１、５３２  ダクトスペース
４２５、５２５  垂直ダクト
５３３  ナノイー発生器
５３４、５３５  放熱器
４４０、５４０  吹き抜け
【図１】
2020060363.tif 000003
【図２】
2020060363.tif 000004
【図３】
2020060363.tif 000005
【図４】
2020060363.tif 000006
【図５】
2020060363.tif 000007